(57)【要約】  本発明は、保護すべき環境のベイトポイントに、第1日目に、コレカルシフェロールベイトを配置する工程、及びベイトポイントに、ベイト期間の間、ベイトを放置する工程を含む、望ましくないラット及びマウスを防除する方法であって、ベイト期間が、マウスの防除に対しては10日未満であり、ラットの防除に対しては15日未満である、又は保護すべき環境に、ベイト期間の第1日目にのみ、任意選択で、ベイト期間内に更に最大3回まで、コレカルシフェロールベイトを配置する、前記方法に関する。【選択図】なし【特許請求の範囲】
【請求項１】
保護すべき環境のベイトポイントに、第1日目に、コレカルシフェロールベイトを配置する工程、及びベイトポイントに、ベイト期間の間、ベイトを放置する工程を含む、望ましくないラット及びマウスを防除する方法であって、
a)ベイト期間が、マウスの防除に対しては15日未満、及びラットの防除に対しては10日未満である、又は
b)保護すべき環境に、ベイト期間の第1日目にのみ、任意選択で、ベイト期間内に更に最大3回まで、コレカルシフェロールベイトを配置する、
前記方法。
【請求項２】
保護すべき環境に、第1日目にのみ、コレカルシフェロールベイトを配置する、請求項1に記載の方法。
【請求項３】
コレカルシフェロールベイトが、少なくとも2.0の嗜好性を有する、請求項1又は2に記載の方法。
【請求項４】
コレカルシフェロールベイトが、それぞれ5〜50gの重量を有する、請求項1〜3のいずれか一項に記載の方法。
【請求項５】
コレカルシフェロールベイトが、ブロック様の形状を有する、請求項1〜4のいずれか一項に記載の方法。
【請求項６】
ブロック様の形状のコレカルシフェロールベイトそれぞれの長さ、高さ及び幅が、それぞれ1〜10cmである、請求項5に記載の方法。
【請求項７】
コレカルシフェロールベイトが、更なる殺鼠剤を含有しない、請求項1〜6のいずれか一項に記載の方法。
【請求項８】
コレカルシフェロールベイトが、ソフトベイトである、請求項1〜7のいずれか一項に記載の方法。
【請求項９】
コレカルシフェロールベイトが、紙又は熱可塑性フィルムで被覆されている、請求項1〜8のいずれか一項に記載の方法。
【請求項１０】
コレカルシフェロールベイトが、有孔加工された熱可塑性フィルムで被覆されている、請求項9に記載の方法。
【請求項１１】
コレカルシフェロールベイトが、ソフトベイトであり、コレカルシフェロール、脂肪、植物粉、及び任意選択で食用種子を含む、請求項1〜10のいずれか一項に記載の方法。
【請求項１２】
コレカルシフェロールベイトが、コレカルシフェロール、25重量%以下の脂肪、少なくとも60重量%の植物粉、及び任意選択で0.05〜5重量%の食用種子を含む、請求項11に記載の方法。
【請求項１３】
コレカルシフェロールベイトが、ソフトベイトであり、植物粉、35℃の温度で完全には液体でない脂肪、及びコレカルシフェロールを含み、ここで、植物粉は、ベイトの総重量に対して少なくとも60重量%の量で存在し、植物粉と脂肪の重量比は、4:1〜8:1である、請求項1〜12のいずれか一項に記載の方法。
【請求項１４】
マウスの防除に対しては、各ベイトポイントに、1〜3個のコレカルシフェロールベイトを配置し、1〜2mの間隔でベイトポイントを設置し、各ベイトポイントに、総量で15〜70gのコレカルシフェロールベイトを配置する、請求項1〜13のいずれか一項に記載の方法。
【請求項１５】
ラットの防除に対しては、各ベイトポイントに、2〜20個のコレカルシフェロールベイトを配置し、5〜10mの間隔でベイトポイントを設置し、各ベイトポイントに、総量で15〜300gのコレカルシフェロールベイトを配置する、請求項1〜14のいずれか一項に記載の方法。
【請求項１６】
コレカルシフェロールベイトが、250〜5000ppm、好ましくは400〜3000ppmのコレカルシフェロールを含む、請求項1〜14のいずれか一項に記載の方法。
【発明の詳細な説明】
【技術分野】
【０００１】
本発明は、保護すべき環境のベイトポイントに、第1日目に、コレカルシフェロールベイトを配置する工程、及びベイトポイントに、ベイト期間の間、ベイトを放置する工程を含む、望ましくないラット及びマウスを防除する方法であって、ベイト期間が、マウスの防除に対しては10日未満であり、ラットの防除に対しては15日未満である、又は保護すべき環境に、ベイト期間の第1日目にのみ、任意選択で、ベイト期間内に更に最大3回まで、コレカルシフェロールベイトを配置する、前記方法に関する。好ましい実施形態と他の好ましい実施形態の組み合わせは本発明の範囲内である。
【背景技術】
【０００２】
ラット及びマウスの集団は、主に、それらが引き起こす経済的損失、及びこれらのげっ歯類がヒトの病原体のキャリアであるという事実に伴う健康上のリスクという理由で防除されている。ラット及びマウスは、大規模な食品/飼料の消費及び損傷の原因であり、噛んだり、掘ったりするというそれらの習性から建物の構造的な損傷及び他の損傷を引き起こす。ラット及びマウスの蔓延は、しばしば毒物製剤の投与によって防除される。
【０００３】
コレカルシフェロール(ビタミンD3)は、ヒト及び動物の体内におけるカルシウム恒常性の重要な制御因子である。毒性量では、高カルシウム血症、組織石灰化、及び心不全を誘発し、げっ歯類の防除に使用することができる。殺鼠剤として、コレカルシフェロールは、抗凝固薬に比して、より穏やかな環境プロファイル、鳥類(一次中毒)及び捕食者(二次中毒)に対するより低いリスクを含む幾つかの利点を有する。しかしながら、最近のベイト製剤におけるその有効性は、その好ましくない味、その摂食阻害効果、及び致死量未満の用量を摂取した動物におけるベイト忌避の発達のために、説得力がなかった。
【０００４】
コレカルシフェロールに関するベイト忌避は周知である(Gould及びHolmes、Pest Manag. Sci.、2008、64、197-202)。Gould及びHolmesは、N-メチル-D-アスパルギン酸受容体遮断薬のデキストロメトルファンを試験したところ、フルオロ酢酸ナトリウムのベイト忌避が解消されることを示したが、コレカルシフェロールに対するその予防には有効ではなかった。
【０００５】
Kocher及びNavjot(Int. J. Res. Biosci. 2013、2、73-82)は、ブロマジオロン及びコレカルシフェロールの相乗効果を利用することを推奨しており、「・・・コレカルシフェロール単独はまた、多くの場合、ベイトの不十分な受容を示す場合があるので、ラットの集団の防除に適切ではない」ことを教示している。
【０００６】
Posipischil及びSchnorbach(Proc. 16th Vertebr. Pest Conf.、1994、180-187「Racumin Plus, a new promising rodenticide against rats and mice」)は、「0.1%のコレカルシフェロール単独はまた、1日のみの給餌によるラット集団の防除に適切ではなく、多くの場合、不十分な受容はベイト忌避の結果である」こと、及びベイト中のコレカルシフェロールの割合を「ベイト忌避を避けるためには0.025%又は更に0.01%」より低くすべきであることを見出した。
【０００７】
市販コレカルシフェロール製品であるBell Laboratories(米国)製のTerad3(登録商標)Blox、又はMotomco(米国)製のAgrid3(登録商標)Bait Chunxの製品ラベルは、ドブネズミ(Norway rat)及びクマネズミ(roof rat)に対する「10日間、又はラットが新しくベイトを食べた兆候がなくなるまで、新鮮なベイトの途切れのない供給を維持する」、及びイエハツカネズミ(house mouse)に対する「15日間、又はイエハツカネズミが新しくベイトを食べた兆候がなくなるまで、新鮮なベイトの途切れのない供給を維持する」という適用の指示を示す。
【先行技術文献】
【非特許文献】
【０００８】
【非特許文献１】Gould及びHolmes、Pest Manag. Sci.、2008、64、197-202
【非特許文献２】Kocher及びNavjot、Int. J. Res. Biosci. 2013、2、73-82
【非特許文献３】Posipischil及びSchnorbach、Proc. 16th Vertebr. Pest Conf.、1994、180-187「Racumin Plus, a new promising rodenticide against rats and mice」
【発明の概要】
【発明が解決しようとする課題】
【０００９】
公知のコレカルシフェロールベイトの欠点は、繰り返しの補充及びベイト供給の維持を含む、ラットに対しては少なくとも10日間、マウスに対しては少なくとも15日間という長い適用期間が必要であることである。この長い適用期間は、コレカルシフェロールによって引き起こされるベイト忌避が原因となり得る。
【００１０】
本発明の課題は、ベイト期間を短縮し、途切れのないベイト供給を連続的に維持するための作業負荷を低減することであった。
【課題を解決するための手段】
【００１１】
本課題は、保護すべき環境のベイトポイントに、第1日目に、コレカルシフェロールベイトを配置する工程、及びベイトポイントに、ベイト期間の間、ベイトを放置する工程を含む、望ましくないラット及びマウスを防除する方法であって、
a)ベイト期間が、マウスの防除に対しては15日未満、及びラットの防除に対しては10日未満である、又は
b)保護すべき環境に、ベイト期間の第1日目にのみ、任意選択で、ベイト期間内に更に最大3回まで、コレカルシフェロールベイトを配置する、
前記方法によって達成された。
【００１２】
実施形態において、望ましくないラット及びマウスを防除する方法は、保護すべき環境のベイトポイントに、第1日目に、コレカルシフェロールベイトを配置する工程、及びベイトポイントに、ベイト期間の間、ベイトを放置する工程を含み、ここで、ベイト期間は、マウスの防除に対しては15日未満、及びラットの防除に対しては10日未満である。
【００１３】
別の実施形態において、望ましくないラット及びマウスを防除する方法は、保護すべき環境のベイトポイントに、第1日目に、コレカルシフェロールベイトを配置する工程、及びベイトポイントに、ベイト期間の間、ベイトを放置する工程を含み、ここで、保護すべき環境に、ベイト期間の第1日目にのみ、任意選択で、ベイト期間内に更に最大3回まで、コレカルシフェロールベイトを配置する。好ましい実施形態において、望ましくないラット及びマウスを防除する方法は、保護すべき環境のベイトポイントに、第1日目に、コレカルシフェロールベイトを配置する工程、及びベイトポイントに、ベイト期間の間、ベイトを放置する工程を含み、ここで、保護すべき環境に、第1日目にのみコレカルシフェロールベイトを配置する。
【００１４】
別の形態において、望ましくないラット及びマウスを防除する方法は、保護すべき環境のベイトポイントに、第1日目に、コレカルシフェロールベイトを配置する工程、及びベイトポイントに、ベイト期間の間、ベイトを放置する工程を含み、ここで、ベイト期間は、マウスの防除に対しては15日未満、及びラットの防除に対しては10日未満であり、さらに、保護すべき環境に、ベイト期間の第1日目にのみ、任意選択で、ベイト期間内に更に最大3回まで、コレカルシフェロールベイトを配置する。
【図面の簡単な説明】
【００１５】
【図１】ラットの個体数の減少を示す追跡スコア(表1〜3を参照)である。
【図２】実地試験中にラットが摂取したベイトをグラムで測定したベイト摂取量である。
【図３】マウスの個体数の減少を示す追跡スコア(表4〜6を参照)である。
【図４】実地試験中にマウスが摂取したベイトをグラムで測定したベイト摂取量である。
【発明を実施するための形態】
【００１６】
ラットの例としては、クマネズミ(Rattus)属、例えば、クマネズミ(R. rattus)及びドブネズミ(R. norvegicus)のそれらの動物である。
【００１７】
マウスの例としては、ハツカネズミ(Mus)属、例えば、ハツカネズミ(Mus musculus)のそれらの動物である。
【００１８】
本発明による方法は、ラット若しくはマウスのいずれか、又はラット及びマウスの両方を同時に防除することを可能にする。
【００１９】
コレカルシフェロールベイトは、保護すべき環境のベイトポイントに配置される。通常、ベイトは、環境が最小限の変化のみを受けるような方法で設置される。
【００２０】
保護すべき環境の例は、農業、家庭、若しくは商業の施設、又は農村地域である。
【００２１】
農業施設は、農業上、林業上、若しくは園芸上の特徴を有する設備、及び/又は農産物(家畜飼料を含む)の生産、加工、保管、販売に役立つ設備、及び/又は動物を飼育する設備である。農業施設の例は、主たるビジネスとして、二次的な収入源又は非営利として、動物を飼育するものである。動物の飼育は、例えば、ウマ、ヤギ、ウシ、ブタ、ヒツジ又は家禽を飼育する、例えば、閉鎖的な、半開放的な、又は開放的な、建物又は建物が密集した地区であってもよい。好ましい農業施設の更なる例は、家畜用飼料を置いておく施設である。飼料の貯蔵所は、例えば、飼料のサイロ、飼料のブレンダー、穀類の山又はサイロ、穀類のブレンダー、飼料が保管される桶等である。農業施設において、建物は、多くの場合、住居、店舗、動物舎、作業場、物置、ガレージ、納屋等のように、保護されるべきである。農業施設の更なる例としては、藁/干し草(例えば、ほどかれた若しくは束ねられた藁又は干し草からなる藁の山又は干し草の山、また納屋の中や干し草の山)、又はグランドカバー植物(例えば、密に地面を覆う低木、これにより、望ましくないラット及びマウスの保護を提供する)、積み重ねられたもの(例えば、並べられた木材の山、建築材料、薪等の山)、古材(廃品)の山(例えば、パイプ、タイヤ、古い建築材料等の乱雑な山)が挙げられる。
【００２２】
コレカルシフェロールベイトは、保護すべき環境のベイトポイントに配置される。専門家はその経験に基づき適切なベイトポイントを選定することができる。
【００２３】
ラットの防除に対しては、通常、各ベイトポイントに、1〜30個(好ましくは、2〜20個、特に2〜10個)のコレカルシフェロールベイトを配置する。
【００２４】
ラットの防除に対しては、通常、各ベイトポイントに、総量で10〜500g(好ましくは、15〜300g、特に15〜200g)のコレカルシフェロールベイトを配置する。
【００２５】
ラットの防除に対しては、通常、1〜25m、好ましくは3〜15m、特に5〜10mの間隔で、ベイトポイントを設置する。
【００２６】
ラットの防除に対しては、好ましくは、各ベイトポイントに、1〜30個のコレカルシフェロールベイトを配置し、ここで、5〜10mの間隔で、ベイトポイントを設置し、任意選択で、各ベイトポイントに、総量で15〜200gのコレカルシフェロールベイトを配置する。
【００２７】
マウスの防除に対しては、通常、各ベイトポイントに、1〜10個(好ましくは、1〜4個、特に1〜2個)のコレカルシフェロールベイトを配置する。
【００２８】
マウスの防除に対しては、通常、各ベイトポイントに、総量で10〜100g(好ましくは、15〜70g、特に15〜50g)のコレカルシフェロールベイトを配置する。
【００２９】
マウスの防除に対しては、通常、0.3〜10m、好ましくは0.5〜3m、特に1〜2mの間隔で、ベイトポイントを設置する。
【００３０】
マウスの防除に対しては、好ましくは、各ベイトポイントに、1〜3個のコレカルシフェロールベイトを配置し、1〜2mの間隔で、ベイトポイントを設置し、任意選択で、各ベイトポイントに、総量で15〜50gのコレカルシフェロールベイトを配置する。
【００３１】
1つの形態において、コレカルシフェロールベイトは、通常、ベイトポイントに、ベイト期間の間、放置され、ここで、ベイト期間は、マウスの防除に対しては15日未満(例えば、14、13、12、11、10、9、8又は7日未満)であり、ラットの防除に対しては10日未満(例えば、9、8、7、6、5、4又は3日未満)である。
【００３２】
ベイトポイントに、ベイト期間の間、ベイトを放置するとは、通常、ベイトを、ベイト期間中、ラット又はマウスに供給すること、ベイトがいかなる人間によっても故意に除去されないことを意味する。
【００３３】
別の形態において、保護すべき環境に、ベイト期間の第1日目に一度だけ、又は、任意選択で、ベイト期間内に更に最大3回まで(例えば、1又は2回)、コレカルシフェロールベイトを配置する。好ましくは、保護すべき環境に、ベイト期間の第1日目に一度だけ、コレカルシフェロールベイトを配置する。
【００３４】
本発明による方法は、ベイト期間の終了時には、保護すべき環境におけるラット又はマウスの数を、少なくとも70%、好ましくは少なくとも80%、特に少なくとも90%減少させ得る。この有効性評価は、殺生物性製品の上市に関する欧州指令98/8/EC「Technical Notes for Guidance on Product Evaluation、付属書第7章、製品タイプ14 Efficacy Evaluation of Rodenticidal Biocidal Products」に記載にしたがって実施することができる。減少した数は、防除された属に応じて、ラット、マウス、又は両方の数を表す。
【００３５】
望ましくないラット及びマウスの防除の程度は、
c)ベイト期間の終了時に、殺鼠剤を含有する又は含有しない対照ベイトによって、消費されたコレカルシフェロールベイトを補充すること、
d)ベイトポイントに、10日未満(好ましくは6日未満、特に4日未満)の対照期間、対照ベイトを放置すること、及び
e)対照期間の終了時に、消費された対照ベイトの数を分析すること
によって評価することができる。
【００３６】
用語「消費されたコレカルシフェロールベイト」とは、ラット又はマウスによって、部分的又は完全に消費されたコレカルシフェロールベイトを意味することができる。
【００３７】
用語「殺鼠剤を含有しない」とは、コレカルシフェロールを含有しない対照ベイトを意味することができる。
【００３８】
消費された対照ベイトの数が、工程c)において存在する対照ベイト及びコレカルシフェロールベイトの総数の20%未満(好ましくは10%未満、又は特に5%未満)である場合、その後、全ての残ったコレカルシフェロールベイト(例えば、消費されなかった、又はほんの一部しか消費されなかったもの)及び任意選択で全ての対照ベイトをベイトポイントから除去してもよい。
【００３９】
コレカルシフェロールベイトは、少なくとも2.0、好ましくは少なくとも2.5、より好ましくは少なくとも3.0、特に少なくとも4.0の嗜好性を有していてもよい。
【００４０】
嗜好性は、例えば、5匹の動物の群において、試験ベイトの全摂取量及び対照食餌の全摂取量の間の重量比によって決定することができる。したがって、嗜好性が>1.0とは、試験ベイトがラットにとって対照食餌より美味であったことを示し、一方で、嗜好性の比が1.0とは、試験ベイト及び対照食餌が同じ美味しさであったことを示す。
【００４１】
適切な嗜好性試験は、BPR、規則(EU)番号528/2012「Technical Notes for Guidance on Product Evaluation、付属書第7章、製品タイプ14 Efficacy Evaluation of Rodenticidal Biocidal Products」に記載されている。
【００４２】
コレカルシフェロールベイトは、それぞれ1〜50gの重量を有していてもよい。好ましくは、コレカルシフェロールベイトは、5〜35g、特に15〜25gの重量を有する。
【００４３】
コレカルシフェロールベイトはブロック様の形状を有していてもよい。ブロックの長さ、高さ及び幅は、それぞれ1〜10cm、好ましくは1.5〜6cm、特に2〜5cmであってもよい。
【００４４】
用語「ソフトベイト」とは、ペースト様の稠度を有する、即ち、接触や圧力に対してすぐにへこみ、変形可能であるように製剤されるベイトに関連し得る。好ましくは、ソフトベイト組成物は可塑性の性質を有する。ソフトベイトは、通常、成型又は成形可能な脂肪中の微小粒子状固体の分散物を含む粘性材料である。
【００４５】
別の形態において、コレカルシフェロールベイトは、5.0重量%未満(好ましくは1.0重量%未満、特に0.2重量%未満)のパラフィンワックスを含んでいてもよい。別の形態において、コレカルシフェロールベイトは、本質的にパラフィンワックスを含有していなくてもよい。パラフィンワックスは、結合剤として、又は耐候性を改善するために使用してもよい。しかしながら、パラフィンワックスは嗜好性を低下させる可能性がある。パラフィンワックスは、典型的なアルカン炭化水素(好ましくは、一般式CnH2n+2(式中、nは15〜45である)を有する)であり、25℃で固体である。パラフィンワックスの融点は通常40℃超(好ましくは55℃超)である。
【００４６】
コレカルシフェロールベイトは、典型的には、400、500、600、700、750、800又は900ppmなど、250〜10000ppmのコレカルシフェロール(即ち、ベイトの総重量に対して0.025〜1.0重量%)を含むであろう。好ましい形態において、コレカルシフェロールベイトは、750ppmのコレカルシフェロールを含むであろう。
【００４７】
別の形態において、コレカルシフェロールベイトは、典型的には、250〜5000ppm、好ましくは400〜3000ppm、より好ましくは500〜2000ppm、特に600〜1000ppmのコレカルシフェロールを含む。
【００４８】
コレカルシフェロールベイトは、コレカルシフェロールに加えて、更なる殺鼠剤を含んでいてもよい。
【００４９】
適切な更なる殺鼠剤は、以下の種類の殺鼠剤から選択してもよい:
-  抗凝固薬、特にブロジファクム、ブロマジオロン、クマクロル、クマフリル、クマテトラリル、ジフェナクム、ジフェチアロン、フロクマフェン、及びワルファリンなどのクマリン誘導体、クロロファシノン、ジファシノン及びピンドンなどのインダンジオン誘導体、
-  酸化ヒ素、リン、亜ヒ酸カリウム、亜ヒ酸ナトリウム、硫酸タリウム、及びリン化亜鉛などの無機系殺鼠剤、
-  γ-HCH、HCH、及びリンダン(lindan)などの有機塩素系殺鼠剤、
-  ホサセチンなどの有機リン系殺鼠剤、
-  クリミジンなどのピリミジンアミン系殺鼠剤、
-  アンツーなどのチオウレア系殺鼠剤、
-  ピリヌロンなどのウレア系殺鼠剤、
-  シリロシド、及びストリキニーネなどの庭用殺鼠剤、
-  ブロメタリン、クロラロース、α-クロロヒドリン、フルオロアセトアミド、フルプロパジン、ノルボルミド、アルファクロラロース、フルオロ酢酸ナトリウムなどの未分類の殺鼠剤。
【００５０】
好ましくは、コレカルシフェロールベイトは、更なる殺鼠剤を含有しない。
【００５１】
別の好ましい形態において、コレカルシフェロールベイトは、ソフトベイトであり、コレカルシフェロール、脂肪、植物粉、及び任意選択で食用種子を含む。
【００５２】
別の好ましい形態において、コレカルシフェロールベイトは、コレカルシフェロール、25重量%以下の脂肪、少なくとも60重量%の植物粉、及び任意選択で0.05〜5重量%の食用種子を含む。
【００５３】
別の好ましい形態において、コレカルシフェロールベイトはソフトベイトであり、植物粉、35℃の温度で完全には液体でない脂肪、及びコレカルシフェロールを含み、ここで、植物粉は、ベイトの総重量に対して少なくとも60重量%の量で存在し、植物粉と脂肪の重量比は4:1〜8:1である。
【００５４】
コレカルシフェロールベイトは1種以上の植物粉を含んでいてもよい。植物粉は、穀物粉又は非穀物粉であろう。適切な植物粉の例としては、エンバク粉、小麦粉、米粉及びトウモロコシ粉などの穀物粉、並びにポテト粉、ピーナッツ粉及びダイズ粉などの非穀物粉が挙げられる。好ましくは、植物粉は、エンバク粉、又はエンバク粉と小麦粉との混合物であろう。エンバク粉は、げっ歯類、特にラットにとって、特に魅力的な味を有する。コレカルシフェロールベイトにおいて、エンバク粉と小麦粉との混合物を植物粉として使用する場合、混合物中の小麦粉の含有量は、典型的には、エンバク粉と小麦粉とを合わせた重量に対して、約30重量%以下であろう。
【００５５】
好ましくは、使用する植物粉がエンバク粉及び小麦粉からなる場合、小麦粉は、エンバク粉と小麦粉とを合わせた重量に対して、15重量%以下の量で使用されるであろう。コレカルシフェロールベイトは、上記したように、コレカルシフェロールベイトの総重量に対して少なくとも60重量%の量で植物粉を含有していてもよい。好ましい実施形態によれば、上記の植物粉は、コレカルシフェロールベイトの総重量に対して80重量%以下の量で存在する。より好ましくは、上記の植物粉は、コレカルシフェロールベイトの総重量に対して62〜78重量%の量で使用されるであろう。
【００５６】
脂肪(好ましくは、食用の脂肪)は、動物性脂肪若しくは植物性脂肪であってもよく、又は動物性脂肪及び植物性脂肪の組み合わせであってもよい。1つの実施形態によれば、脂肪は、35℃の温度で完全には液体でないものであってもよい。コレカルシフェロールベイトは、35℃の温度で完全には液体でない脂肪(即ち、普通の室温(20℃)では固体であるが、35℃では完全には溶融しない)を含有していてもよい。脂肪は、動物性脂肪又は植物性脂肪であってもよい。好ましくは、脂肪は植物性脂肪であり、より好ましくは、精製パーム油である。35℃の温度では、精製パーム油は、液体(オレイン)画分と固体(ステアリン)画分とを含有する。典型的には、ソフトベイト組成物の脂肪、好ましくはパーム油の含有量は、コレカルシフェロールベイトの総重量に対して25重量%以下である。好ましくは、ソフトベイト組成物の脂肪、好ましくはパーム油の含有量は、コレカルシフェロールベイトの総重量に対して15重量%以下である。より好ましくは、コレカルシフェロールベイトは、コレカルシフェロールベイトの総重量に対して、10〜13重量%の脂肪、好ましくは精製パーム油を含有する。
【００５７】
好ましくは、植物粉と脂肪の重量比は、4:1〜8:1の範囲内である。好ましくは、植物粉と脂肪の重量比は、5:1〜7.5:1である。好ましい実施形態によれば、コレカルシフェロールベイトは、エンバク粉、小麦粉、及びそれらの混合物から選択される植物粉と、脱臭された精製パーム油とを含有し、ここで、植物粉とパーム油の重量比は6:1〜7:1である。
【００５８】
好ましくは、コレカルシフェロールベイトは食用種子を含有する。本発明のソフトベイト組成物において使用することができる食用種子の例としては、典型的には、長さが1mm未満のものであろう。ケシの実は、げっ歯類、特にラットにとって特に美味であるので、好ましくは、食用種子はケシの実である。本発明のソフトベイト組成物中の食用種子の量は、典型的には、コレカルシフェロールベイトの総重量に対して0.05〜5重量%の範囲内である。本発明のソフトベイト組成物中の食用種子の量は、好ましくは、コレカルシフェロールベイトの総重量に対して0.1〜1重量%の範囲内である。好ましい実施形態によれば、コレカルシフェロールベイトは、組成物の総重量に対して約0.5重量%のケシの実を含有する。
【００５９】
好ましい実施形態によれば、コレカルシフェロールベイトは、エンバク粉、精製パーム油、及びコレカルシフェロールを含み、ここで、エンバク粉は、組成物の総重量に対して少なくとも60重量%の量で存在し、エンバク粉と精製パーム油の重量比は5:1〜6:1である。
【００６０】
より好ましい実施形態によれば、コレカルシフェロールベイトは、約0.075重量%のコレカルシフェロール、約10.0重量%の小麦粉、約11.5重量%の脱臭された精製パーム油、及び約64重量%のエンバク粉を含む(全ての割合は、組成物の総重量に対する)。
【００６１】
コレカルシフェロールベイトはまた、有利には、甘味剤、植物油、更なる食品成分、顔料若しくは染料、香味料、保存剤、抗酸化剤、静菌剤(fungistat)及び味覚妨害剤(taste deterrent)などの1種以上の成分を含有していてもよい。このような更なる成分は当業者に周知である。
【００６２】
好ましくは、コレカルシフェロールベイトは、甘味剤を含有する。典型的には、甘味剤は、スクロースであり、好ましくは粉砂糖である。実施形態によれば、コレカルシフェロールベイトは、組成物の総重量に対して、10〜15重量%、好ましくは約10重量%の、スクロース、好ましくは粉砂糖を含有する。
【００６３】
殺鼠剤の分野においては、ヒトに対して妨害剤として働く1種以上の物質を含むことが一般的である。このような物質は、典型的には、ヒトに対して不快な風味を与える。典型的なこのような物質は、ヒトに対して顕著に不快な味をベイトに与える苦味物質である。このような味覚妨害剤の例は、安息香酸デナトニウムである。このような妨害剤物質は、典型的には、コレカルシフェロールベイトの総重量に対して、約0.001重量%の総量で含まれていてもよい。
【００６４】
コレカルシフェロールベイトは、典型的には、識別を助けるために、着色剤(例えば、染料又は顔料)を含ませることによって着色されるであろう。典型的には、着色剤は、組成物の総重量に対して約0.002重量%の量で存在するであろう。
【００６５】
コレカルシフェロールベイトは、場合により、有孔加工されている、熱可塑性フィルム又は紙で被覆されていてもよい。好ましくは、コレカルシフェロールベイトは、場合により、有孔加工されている、熱可塑性フィルムで被覆されていてもよい。好ましくは、熱可塑性フィルムは、ポリエチレン、ポリプロピレン、並びにエチレン及びポリプロピレンのコポリマーから典型的に選択される、1種以上のポリオレフィンを含む。熱可塑性フィルムは、単層フィルム又は多層フィルムであってもよい。多層ポリオレフィンフィルムは、当該技術において周知であり、典型的には、「コア」層と、「コア」層の各側上の「スキン」層とを含む。「コア」層は、ポリマーブレンドを含んでいてもよく、そのブレンドの主成分は、エチレンのホモポリマー又はコポリマーのいずれかであり、少量の成分はブチレンのホモポリマー又はコポリマーのいずれかである。「スキン」層は、典型的には、エチレン若しくはプロピレンのホモポリマー、又はエチレン及びプロピレンのコポリマーを含む。好ましくは、単層フィルム又は多層フィルムであるフィルムは、少なくとも1つの方向に熱収縮性であるように配向される。収縮フィルムの使用によって、ベイト組成物がフィルム内にしっかりと封入されるか又は包まれるように、フィルムをベイト組成物の周囲に収縮することが可能になる。
【００６６】
熱可塑性フィルムは、様々なフィルム厚さで市販されている。典型的な厚さは、13〜25μmの範囲である。本発明者らは、フィルム厚さ19μmの有孔加工されたポリオレフィンフィルムを使用して製造された包装ベイトが、げっ歯類に対して良好な嗜好特性を有することを見出した。厚さ25μmのフィルムも許容されるが、厚さ19μmのフィルムと比較して、ラットに対する嗜好性は低い。
【００６７】
使用される熱可塑性フィルムは、有孔加工されていてもよい。予め有孔加工されたフィルムは当該技術分野において周知である。フィルム内の孔は、標的のげっ歯類に対して摂食刺激物質として働くように、ベイト組成物から、香りを放出することを可能にし、その結果、ベイトの嗜好性が高まる。しかしながら、孔の直径は、ベイト組成物又はその成分が放出することを可能にするには小さすぎる。用語「有孔(孔)」とは、意図的に作製されたフィルム内の複数の小さな孔を意味する。孔は、好ましくは、包装ベイトからの香りの放出を最適化するように、一定の形状(即ち、各孔は、その隣接する孔から実質的に等しい間隔が空いている)で包装ベイトの壁を形成するフィルム内に設けられる。
【００６８】
典型的には、有孔加工された熱可塑性フィルムは、1平方デシメートル当たり100〜300個の孔、好ましくは、1平方デシメートル当たり150〜250個の孔を含有する。本発明者らは、1平方デシメートル当たり約200個の一定の孔を有する、多層の共押出ポリオレフィン収縮フィルムの使用によって、香りの放出を可能にし、それによってげっ歯類に対する良好な嗜好性を確保する、優れた性能を有する包装ベイトの製造が可能になることを見出した。有孔加工された熱可塑性フィルムは、摩耗及び破れに対して良好な耐性を有し、熱及び光の環境条件に対して良好な耐性を有するであろう。このような有孔加工された熱可塑性フィルムは市販品を容易に入手できる。
【００６９】
好ましい形態において、望ましくないラット及びマウスを防除する方法は、保護すべき環境のベイトポイントに、第1日目に、コレカルシフェロールベイトを配置する工程、及びベイトポイントに、ベイト期間の間、ベイトを放置する工程を含み、ここで、
a)ベイト期間は、マウスの防除に対しては15日未満(例えば、14、13、12、11、10、9、8又は7日未満)、及びラットの防除に対しては10日未満(例えば、9、8、7、6、5、4又は3日未満)であり、
コレカルシフェロールベイトは、それぞれ5〜50gの重量を有し、
コレカルシフェロールベイトは、更なる殺鼠剤を含有せず、
マウスの防除に対しては、各ベイトポイントに、1〜3個のコレカルシフェロールベイトを配置し、1〜2mの間隔でベイトポイントを設置し、各ベイトポイントに、総量で15〜50gのコレカルシフェロールベイトを配置し、
ラットの防除に対しては、好ましくは、各ベイトポイントに、1〜30個のコレカルシフェロールベイトを配置し、5〜10mの間隔でベイトポイントを設置し、各ベイトポイントに、総量で15〜200gのコレカルシフェロールベイトを配置する。
【００７０】
好ましい形態において、望ましくないラット及びマウスを防除する方法は、保護すべき環境のベイトポイントに、第1日目に、コレカルシフェロールベイトを配置する工程、及びベイトポイントに、ベイト期間の間、ベイトを放置する工程を含み、ここで、
b)保護すべき環境に、ベイト期間の第1日目にのみ、任意選択で、ベイト期間内に更に最大3回まで、コレカルシフェロールベイトを配置し、
コレカルシフェロールベイトは、それぞれ5〜50gの重量を有し、
コレカルシフェロールベイトは、更なる殺鼠剤を含有せず、
マウスの防除に対しては、各ベイトポイントに、1〜3個のコレカルシフェロールベイトを配置し、1〜2mの間隔でベイトポイントを設置し、各ベイトポイントに、総量で15〜50gのコレカルシフェロールベイトを配置し、
ラットの防除に対しては、好ましくは、各ベイトポイントに、1〜30個のコレカルシフェロールベイトを配置し、5〜10mの間隔でベイトポイントを設置し、各ベイトポイントに、総量で15〜200gのコレカルシフェロールベイトを配置する。
【００７１】
別の好ましい形態において、望ましくないラット及びマウスを防除する方法は、保護すべき環境のベイトポイントに、第1日目に、コレカルシフェロールベイトを配置する工程、及びベイトポイントに、ベイト期間の間、ベイトを放置する工程を含み、ここで、
a)ベイト期間は、マウスの防除に対しては15日未満(例えば、14、13、12、11、10、9、8又は7日未満)、及びラットの防除に対しては10日未満(例えば、9、8、7、6、5、4又は3日未満)であり、
コレカルシフェロールベイトは、それぞれ5〜50gの重量を有し、
コレカルシフェロールベイトは、更なる殺鼠剤を含有せず、
コレカルシフェロールベイトは、ソフトベイトであり、コレカルシフェロール、脂肪、植物粉、及び任意選択で食用種子を含み、
マウスの防除に対しては、各ベイトポイントに、1〜3個のコレカルシフェロールベイトを配置し、1〜2mの間隔でベイトポイントを設置し、各ベイトポイントに、総量で15〜50gのコレカルシフェロールベイトを配置し、及び
ラットの防除に対しては、好ましくは、各ベイトポイントに、1〜30個のコレカルシフェロールベイトを配置し、5〜10mの間隔でベイトポイントを設置し、各ベイトポイントに、総量で15〜200gのコレカルシフェロールベイトを配置する。
【００７２】
別の好ましい形態において、望ましくないラット及びマウスを防除する方法は、保護すべき環境のベイトポイントに、第1日目に、コレカルシフェロールベイトを配置する工程、及びベイトポイントに、ベイト期間の間、ベイトを放置する工程を含み、ここで、
b)保護すべき環境に、ベイト期間の第1日目にのみ、任意選択で、ベイト期間内に更に最大3回まで、コレカルシフェロールベイトを配置し、
コレカルシフェロールベイトは、それぞれ5〜50gの重量を有し、
コレカルシフェロールベイトは、更なる殺鼠剤を含有せず、
コレカルシフェロールベイトは、ソフトベイトであり、コレカルシフェロール、脂肪、植物粉、及び任意選択で食用種子を含み、
マウスの防除に対しては、各ベイトポイントに、1〜3個のコレカルシフェロールベイトを配置し、1〜2mの間隔でベイトポイントを設置し、各ベイトポイントに、総量で15〜50gのコレカルシフェロールベイトを配置し、
ラットの防除に対しては、好ましくは、各ベイトポイントに、1〜30個のコレカルシフェロールベイトを配置し、5〜10mの間隔でベイトポイントを設置し、各ベイトポイントに、総量で15〜200gのコレカルシフェロールベイトを配置する。
【００７３】
別の好ましい形態において、望ましくないラット及びマウスを防除する方法は、保護すべき環境のベイトポイントに、第1日目に、コレカルシフェロールベイトを配置する工程、及びベイトポイントに、ベイト期間の間、ベイトを放置する工程を含み、ここで、
a)ベイト期間は、マウスの防除に対しては15日未満(例えば、14、13、12、11、10、9、8又は7日未満)、及びラットの防除に対しては10日未満(例えば、9、8、7、6、5、4又は3日未満)であり、
コレカルシフェロールベイトは、それぞれ5〜50gの重量を有し、
コレカルシフェロールベイトは、更なる殺鼠剤を含有せず、
コレカルシフェロールベイトは、ソフトベイトであり、植物粉、35℃の温度で完全には液体でない脂肪、及びコレカルシフェロールを含み、ここで、植物粉は、総重量に対して少なくとも60重量%の量で存在し、植物粉と脂肪の重量比は、4:1〜8:1であり、
マウスの防除に対しては、各ベイトポイントに、1〜3個のコレカルシフェロールベイトを配置し、1〜2mの間隔でベイトポイントを設置し、各ベイトポイントに、総量で15〜50gのコレカルシフェロールベイトを配置し、
ラットの防除に対しては、好ましくは、各ベイトポイントに、1〜30個のコレカルシフェロールベイトを配置し、5〜10mの間隔でベイトポイントを設置し、各ベイトポイントに、総量で15〜200gのコレカルシフェロールベイトを配置する。
【００７４】
別の好ましい形態において、望ましくないラット及びマウスを防除する方法は、保護すべき環境のベイトポイントに、第1日目に、コレカルシフェロールベイトを配置する工程、及びベイトポイントに、ベイト期間の間、ベイトを放置する工程を含み、ここで、
b)保護すべき環境に、ベイト期間の第1日目にのみ、任意選択で、ベイト期間内に更に最大3回まで、コレカルシフェロールベイトを配置し、
コレカルシフェロールベイトは、それぞれ5〜50gの重量を有し、
コレカルシフェロールベイトは、更なる殺鼠剤を含有せず、
コレカルシフェロールベイトは、ソフトベイトであり、植物粉、35℃の温度で完全には液体でない脂肪、及びコレカルシフェロールを含み、ここで、植物粉は、総重量に対して少なくとも60重量%の量で存在し、植物粉と脂肪の重量比は、4:1〜8:1であり、
マウスの防除に対しては、各ベイトポイントに、1〜3個のコレカルシフェロールベイトを配置し、1〜2mの間隔でベイトポイントを設置し、各ベイトポイントに、総量で15〜50gのコレカルシフェロールベイトを配置し、
ラットの防除に対しては、好ましくは、各ベイトポイントに、1〜30個のコレカルシフェロールベイトを配置し、5〜10mの間隔でベイトポイントを設置し、各ベイトポイントに、総量で15〜200gのコレカルシフェロールベイトを配置する。
【００７５】
全てのコレカルシフェロールベイト、及び任意の全ての対照ベイトは、通常、ベイト期間の終了時、又は対照期間の終了時に、ベイトポイントから除去される。
【００７６】
本発明による方法は、様々な利点を提供する：ラット及びマウスに対して、全ての抗凝固薬耐性のラット及びマウスに対してさえも、高い有効性を示す；例えば抗凝固薬と比較して、素早く殺すことを可能にし、それによって損害及び感染の危険性を低減する；鳥類又は捕食者に対する毒性のリスクが低い；環境に対する有害性が低い；より速い蔓延の防除により、有害生物の防除者の時間と労力を削減する。
【実施例】
【００７７】
いかなる限定をすることなく、以下の実施例により本発明を説明する。
【００７８】
ラット防除に対する実地試験
使用した方法は、殺生物性製品の上市に関する欧州指令98/8/EC「Technical Notes for Guidance on Product Evaluation、付属書第7章、製品タイプ14 Efficacy Evaluation of Rodenticidal Biocidal Products」で述べられたものにしたがった。慣用されている過剰摂餌方法(surplus baiting method)を使用した。場所(サイト)は、工業地域内に位置する小売店であった。建物は、木材、錫シート、ブロック及び鋼鉄で構成されていた。
【００７９】
試験前調査:
蔓延の証拠について、試験サイトを系統的に調査した。観察されたラットを目視でドブネズミ(Rattus norvegicus)と特定した。個体数調査の食餌の位置と、任意の追跡区画と、ベイトポイントとを示した、サイトのスケッチプランを作成した。
【００８０】
処理前の個体数調査:
処理前の個体数調査では、32の追跡区画(園芸用白砂で軽く覆った)、及び200gの全粒小麦からなる32の事前の個体数調査の食餌ポイントを使用した。連続した4日間、各トレイ内に残った小麦を調査し、携帯型の電子天秤にて最も近い1.0gまで重量を測定し、測定可能な摂取量が発生した場合、24時間後の次の訪問まで残るように十分な量を補充した。ラットによって摂取された量を記録した。追跡区画上の跡を任意のスケールで記録し、消去し、区画を再度覆った。事前の個体数調査の結果(表1)は、都市環境では、中程度のレベルの蔓延とみなされるものと考えられるものの存在を示した。1日当たり1匹のラットが10gの個体数調査の食餌を摂取すると仮定すると、最大656gの処理前の個体数調査の食餌の摂取は、約66頭のラットの蔓延を示し、処理前の個体数調査の食餌の摂取の平均は、約58頭のラットの蔓延を示した。
【００８１】
【表１】
2017519499.tif 000002
【００８２】
処理前の遅滞(ラグ)期間:
処理前の個体数調査に続き、10日間の処理前のラグ期間をとった。この期間中は、個体数調査の食餌又はベイトをサイトに適用せず、蔓延に対する観察も行わなかった。
【００８３】
処理期間:
処理は、慣用されている過剰摂餌手法を使用して、コレカルシフェロールベイトA(共に係属するPCT/EP2014/055816の実施例2のようにして調製し、各ブロックは、重量が約17g、サイズが4×3×3cmで、有孔ポリエチレン袋で単回適用量に包装した)で行った。約150g(9ブロック)のベイトをそれぞれ含有するベイトトレイを、出没エリア全体に、約5〜10m離して戦略的に配置された保護場所に設置した。そのサイトに、第1日目に、全部で36のベイトポイントを設置した。翌日、摂取についてベイトを目視でチェックし、最も近い1.0gまで重量を測定し、その後の完全なベイトの摂取を避けるために、十分な量を補充した。訪問の間が72時間以下で、同様の観察と記録を7日間行った。7日後に、記録したベイトトレイ及びベイトをそのサイトから除去した。処理期間中の各訪問時に、処理前の個体数調査の期間と同様に、32の追跡区画における活動を記録し、調査粉でそれぞれ新しく覆った。ベイトの摂取量及び追跡スコアを表2にまとめる。
【００８４】
ベイトの摂取は、処理段階の期間1日目の431gから、2日及び3日目には、それぞれ、171g及び19gまで徐々に減少した。4〜6日目には、ベイトの摂取が記録されなかった。しかしながら、7日目には、1又は2頭のラットの存在を示す、13gのベイトの摂取を記録した。ベイトの摂取が減少した処理期間中、追跡スコアも1日目の50から、7日目には0まで減少した。これは、ベイト処理段階の間のラットの活動レベルの100%の減少である。容易に達成され得る最大防除レベルが達成されたとして、7日後を処理段階の終了と決定した。
【００８５】
【表２】
2017519499.tif 000003
【００８６】
処理後のラグ期間:
処理期間に続き、処理後の個体数調査を開始する前に、残ったラットが、摂取したであろう任意の用量の殺鼠剤から、死亡するか、又は回復するための妥当な時間を可能にするために、7日間のラグ期間をとった。
【００８７】
処理後の個体数調査:
個体数調査の食餌のトレイを、それらの元の位置に戻した。処理前の個体数調査と全く同じ方法により、処理後の個体数調査を行った。結果を表3にまとめる。
【００８８】
【表３】
2017519499.tif 000004
【００８９】
結果のまとめ:
ベイトの消費及び活動の追跡の概要を図1及び2に示す。処理により、処理期間7日までに、ラットの活動の著しい減少がもたらされた。個体数調査の食餌及び追跡データに基づく処理の達成指標の全てが、100%の防除を示した。この防除の程度は、コレカルシフェロールなどの亜急性毒物にとって優れたものであると考えられる。結果は、コレカルシフェロールベイトAが有効な殺鼠剤ベイトであることを示した。
【００９０】
実地試験に基づき、本発明による摂餌方法は、例えば、有害生物防除の専門家による商業的な適用に対して合理的に裏付けられる。
【００９１】
マウス防除に対する実地試験
使用した方法は、殺生物性製品の上市に関する欧州指令98/8/EC「Technical Notes for Guidance on Product Evaluation、付属書第7章、製品タイプ14 Efficacy Evaluation of Rodenticidal Biocidal Products」で述べられたものにしたがった。慣用されている過剰摂餌方法を使用した。サイトは、都市部の商業用不動産であった。
【００９２】
試験前の調査:
蔓延の証拠について、試験サイトを系統的に調査した。観察されたマウスを目視でイエハツカネズミ(Mus domesticus)と特定した。個体数調査の食餌の位置と、任意の追跡区画と、ベイトポイントとを示した、サイトのスケッチプランを作成した。
【００９３】
処理前の個体数調査:
処理前の個体数調査では、追跡区画(100×100mm、園芸用白砂で軽く覆った)、及び30gの全粒小麦からなる事前の個体数調査の食餌ポイント(木製のベイトトレイ、75×90mm)を使用した。連続した4日間、各トレイ内に残った小麦を調査し、携帯型の電子天秤にて最も近い1.0gまで重量を測定し、測定可能な摂取量が発生した場合、24時間後の次の訪問まで残るように十分な量を補充した。マウスによって摂取された量を記録した。追跡区画上の跡を任意のスケールで記録し、消去し、区画を再度覆った。事前の個体数調査の結果(表4)は、この環境では中程度のレベルの蔓延とみなされるものと考えられるものの存在を示した。1日当たり1頭のマウスが2.5gの個体数調査の食餌を摂取すると仮定すると、最大94gの処理前の個体数調査の食餌の摂取は、約38頭のマウスの蔓延を示し、処理前の個体数調査の食餌の摂取の平均は、約36頭のマウスの蔓延を示した。
【００９４】
【表４】
2017519499.tif 000005
【００９５】
処理前のラグ期間:
処理前の個体数調査に続き、10日間の処理前のラグ期間をとった。この期間中は、個体数調査の食餌又はベイトをサイトに適用せず、蔓延に対する観察も行わなかった。
【００９６】
処理期間:
処理は、慣用されている過剰摂餌手法を使用して、コレカルシフェロールベイトAで行った。約35g(2ブロック)のベイトをそれぞれ含有するベイトトレイを、出没エリア全体に、約1〜2m離して戦略的に配置された保護場所に設置した。そのサイトに、第1日目に、全部で53のベイトポイントを設置した。翌日、摂取についてベイトを目視でチェックし、最も近い1.0gまで重量を測定し、その後の完全なベイトの摂取を避けるために、十分な量を補充した。訪問の間が72時間以下で、同様の観察と記録を7日間行った。7日後に、記録したベイトトレイ及びベイトをそのサイトから除去した。処理期間中の各訪問時に、処理前の個体数調査の期間と同様に、追跡区画における活動を記録し、調査粉でそれぞれ新しく覆った。ベイトの摂取量及び追跡スコアを表5にまとめる。
【００９７】
【表５】
2017519499.tif 000006
【００９８】
処理後のラグ期間:
処理期間に続き、処理後の個体数調査を開始する前に、残ったマウスが、摂取したであろう任意の用量の殺鼠剤から、死亡するか、又は回復するための妥当な時間を可能にするために、7日間のラグ期間をとった。
【００９９】
処理後の個体数調査:
個体数調査の食餌のトレイを、それらの元の位置に戻した。処理前の個体数調査と全く同じ方法により、処理後の個体数調査を行った。結果を表6にまとめる。
【０１００】
【表６】
2017519499.tif 000007
【０１０１】
結果のまとめ:
ベイトの消費及び活動の追跡の概要を図3及び4に示す。処理により、処理期間7日までに、マウスの活動の著しい減少がもたらされた。個体数調査の食餌及び追跡データに基づく処理の達成指標の全てが、99〜100%の防除を示した。この防除の程度は、コレカルシフェロールなどの亜急性毒物にとって優れたものであると考えられる。結果は、コレカルシフェロールベイトAが有効な殺鼠剤ベイトであることを示した。
【０１０２】
実地試験に基づき、本発明による摂餌方法は、例えば、有害生物防除の専門家による商業的な適用に対して合理的に裏付けられる。
【図１】
2017519499.tif 000008
【図２】
2017519499.tif 000009
【図３】
2017519499.tif 000010
【図４】
2017519499.tif 000011
【手続補正書】
【提出日】平成29年2月15日(2017.2.15)
【手続補正１】
【補正対象書類名】特許請求の範囲
【補正対象項目名】全文
【補正方法】変更
【補正の内容】
【特許請求の範囲】
【請求項１】
保護すべき環境のベイトポイントに、第1日目に、コレカルシフェロールベイトを配置する工程、及びベイトポイントに、ベイト期間の間、ベイトを放置する工程を含む、望ましくないラット及びマウスを防除する方法であって、
a)ベイト期間が、マウスの防除に対しては15日未満、及びラットの防除に対しては10日未満である、又は
b)保護すべき環境に、ベイト期間の第1日目にのみ、任意選択で、ベイト期間内に更に最大3回まで、コレカルシフェロールベイトを配置する、
コレカルシフェロールベイトが、ベイトの総重量に対して0.025〜1.0重量%のコレカルシフェロールを含む、
前記方法。
【請求項２】
保護すべき環境に、第1日目にのみ、コレカルシフェロールベイトを配置する、請求項1に記載の方法。
【請求項３】
コレカルシフェロールベイトが、少なくとも2.0の嗜好性を有する、請求項1又は2に記載の方法。
【請求項４】
コレカルシフェロールベイトが、それぞれ5〜50gの重量を有する、請求項1〜3のいずれか一項に記載の方法。
【請求項５】
コレカルシフェロールベイトが、ブロック様の形状を有する、請求項1〜4のいずれか一項に記載の方法。
【請求項６】
ブロック様の形状のコレカルシフェロールベイトそれぞれの長さ、高さ及び幅が、それぞれ1〜10cmである、請求項5に記載の方法。
【請求項７】
コレカルシフェロールベイトが、更なる殺鼠剤を含有しない、請求項1〜6のいずれか一項に記載の方法。
【請求項８】
コレカルシフェロールベイトが、ソフトベイトである、請求項1〜7のいずれか一項に記載の方法。
【請求項９】
コレカルシフェロールベイトが、紙又は熱可塑性フィルムで被覆されている、請求項1〜8のいずれか一項に記載の方法。
【請求項１０】
コレカルシフェロールベイトが、有孔加工された熱可塑性フィルムで被覆されている、請求項9に記載の方法。
【請求項１１】
コレカルシフェロールベイトが、ソフトベイトであり、コレカルシフェロール、脂肪、植物粉、及び任意選択で食用種子を含む、請求項1〜10のいずれか一項に記載の方法。
【請求項１２】
コレカルシフェロールベイトが、コレカルシフェロール、25重量%以下の脂肪、少なくとも60重量%の植物粉、及び任意選択で0.05〜5重量%の食用種子を含む、請求項11に記載の方法。
【請求項１３】
コレカルシフェロールベイトが、ソフトベイトであり、植物粉、35℃の温度で完全には液体でない脂肪、及びコレカルシフェロールを含み、ここで、植物粉は、ベイトの総重量に対して少なくとも60重量%の量で存在し、植物粉と脂肪の重量比は、4:1〜8:1である、請求項1〜12のいずれか一項に記載の方法。
【請求項１４】
マウスの防除に対しては、各ベイトポイントに、1〜3個のコレカルシフェロールベイトを配置し、1〜2mの間隔でベイトポイントを設置し、各ベイトポイントに、総量で15〜70gのコレカルシフェロールベイトを配置する、請求項1〜13のいずれか一項に記載の方法。
【請求項１５】
ラットの防除に対しては、各ベイトポイントに、2〜20個のコレカルシフェロールベイトを配置し、5〜10mの間隔でベイトポイントを設置し、各ベイトポイントに、総量で15〜300gのコレカルシフェロールベイトを配置する、請求項1〜14のいずれか一項に記載の方法。
【国際調査報告】
2017519499.tif 000012
2017519499.tif 000013
2017519499.tif 000014
2017519499.tif 000015